(57)【特許請求の範囲】
【請求項１】
廃棄物を投入するための投入口を有するともに当該投入口を通じて投入された廃棄物を処理する廃棄物処理設備に対し、前記廃棄物を搬送する廃棄物搬送装置であって、
前記廃棄物処理設備の投入口よりも高い位置まで前記廃棄物を搬送するコンベアと、
前記コンベアを収容するケースと、
前記コンベア上に堆積する廃棄物に対して外力を付与する外力付与部と、を備え、
前記コンベアは、前記廃棄物を水平方向に搬送する水平搬送部及びこの水平搬送部の下流側の端部から前記廃棄物を斜め上方に搬送する傾斜搬送部を有する形状のコンベア本体を有し、
前記ケースは、前記水平搬送部を収容する水平収容部と、前記水平収容部の下流側の端部につながっており前記傾斜搬送部を収容する傾斜収容部と、を有し、
前記水平収容部は、前記廃棄物を前記コンベア本体上へ落下させるための開口を有するとともに、前記開口と前記傾斜収容部のうち前記コンベア本体の上方に位置する部位の下端部との間を塞ぐ閉塞壁を有し、
前記外力付与部は、前記廃棄物が前記閉塞壁の下方に堆積することにより形成された前記廃棄物の塊である廃棄物塊に対して当該廃棄物塊を崩す外力を付与し、
前記外力付与部は、圧縮ガスが膨張する際の膨張力が前記外力として前記廃棄物塊に作用するように前記廃棄物塊に対して前記圧縮ガスを噴射するガス噴射部を有する、廃棄物搬送装置。
【請求項２】
請求項１に記載の廃棄物搬送装置において、
前記ガス噴射部は、前記膨張力が前記廃棄物塊に対して前記コンベア本体の搬送方向と反対方向に作用する力の成分を含む姿勢で前記ケースに接続されている、廃棄物搬送装置。
【請求項３】
請求項１又は２に記載の廃棄物搬送装置において、
前記ガス噴射部は、その先端が前記閉塞壁の下面よりも下方に位置する姿勢で前記ケースに接続されている、廃棄物搬送装置。
【請求項４】
請求項１ないし３のいずれかに記載の廃棄物搬送装置において、
前記閉塞壁と前記コンベア本体との間における前記廃棄物の詰まりを検知可能な検知部と、
前記検知部が前記詰まりを検知したときに前記外力付与部を駆動する駆動部と、をさらに備える、廃棄物搬送装置。
【請求項５】
請求項４に記載の廃棄物搬送装置において、
前記検知部は、前記コンベア本体の駆動負荷に基づいて詰まりを検知する、廃棄物搬送装置。
【請求項６】
請求項５に記載の廃棄物搬送装置において、
前記コンベアは、前記コンベア本体を駆動するモータをさらに有し、
前記検知部は、前記モータの電流値を検出するセンサと、前記センサの検出値が基準値を超えたときに前記詰まりが生じたと判定する判定部と、を有し、
前記駆動部は、前記判定部が前記詰まりが生じたと判定したときに前記外力付与部を駆動する、廃棄物搬送装置。
【請求項７】
請求項１ないし６のいずれかに記載の廃棄物搬送装置において、
前記コンベア本体は、前記廃棄物を搬送する搬送体と、前記搬送体上に立設された複数の支柱と、を有し、
各支柱の前記搬送体の搬送方向と直交する幅方向の寸法は、前記搬送体の前記幅方向の寸法よりも小さく設定されており、
前記複数の支柱は、前記搬送方向に沿って間欠的に並びかつ前記幅方向に沿って間欠的に並ぶように配置されている、廃棄物搬送装置。
【請求項８】
廃棄物を処理する廃棄物処理設備に前記廃棄物を搬送する廃棄物搬送装置の運転方法であって、
前記廃棄物搬送装置として、前記廃棄物を搬送するコンベアと、前記コンベアを収容するケースと、を備え、前記コンベアは、前記廃棄物を水平方向に搬送する水平搬送部及びこの水平搬送部の下流側の端部から前記廃棄物を斜め上方に搬送する傾斜搬送部を有する形状を有し、前記ケースは、前記水平搬送部を収容する水平収容部と、前記水平収容部の下流側の端部につながっており前記傾斜搬送部を収容する傾斜収容部と、を有し、前記水平収容部は、前記廃棄物を前記コンベア上へ落下させるための開口を有するとともに、前記開口と前記傾斜収容部のうち前記コンベアの上方に位置する部位の下端部との間を塞ぐ閉塞壁を有するものを準備する準備工程と、
前記コンベアにより前記廃棄物を搬送する搬送工程と、を備え、
前記搬送工程では、前記廃棄物が前記閉塞壁の下方に堆積することにより前記廃棄物の塊である廃棄物塊が形成されたときにその廃棄物塊に対して圧縮ガスを噴射することによって当該廃棄物塊を崩す、廃棄物搬送装置の運転方法。
【発明の詳細な説明】
【技術分野】
【０００１】
本発明は、廃棄物搬送装置に関するものである。
【背景技術】
【０００２】
従来、廃棄物を処理する廃棄物処理設備に対して廃棄物を搬送する廃棄物搬送装置が知られている。例えば、特許文献１には、廃棄物処理設備に設けられた廃棄物の投入口よりも高い位置まで廃棄物を搬送するコンベアと、このコンベアを収容するケースと、を備える廃棄物搬送装置が開示されている。コンベアは、上方から落下してきた廃棄物を水平方向に搬送する水平搬送部と、水平搬送部の下流側の端部から廃棄物を斜め上方に搬送する傾斜搬送部と、を有している。ケースは、水平搬送部を収容する水平収容部と、傾斜搬送部を収容する傾斜収容部と、を有している。水平収容部のうちコンベアの上方の部位には、廃棄物を水平搬送部へ落下させるための開口が形成されており、当該開口と傾斜収容部におけるコンベアの上方の部位の下端部との間は、閉塞壁で塞がれている。これは、廃棄物の臭気のケース外への漏出を抑制するためである。
【先行技術文献】
【特許文献】
【０００３】
【特許文献１】特開２００９−２２７４１６号公報
【発明の概要】
【発明が解決しようとする課題】
【０００４】
本発明者らは、特許文献１に記載されるような廃棄物搬送装置、すなわち、廃棄物を水平方向に搬送した後に当該廃棄物を斜め上方に向かって搬送する廃棄物搬送装置では、水平収容部における開口と傾斜収容部におけるコンベアの上方の部位の下端部との間に臭気漏れを抑制するための閉塞壁を設けることにより、当該廃棄物搬送装置で廃棄物を搬送する過程において前記閉塞壁の下方に廃棄物の圧密（詰まり）が生じる場合があることを見出した。具体的に、傾斜搬送部に搬送されている廃棄物は、その一部が搬送途中で水平搬送部に向かって落下することがある一方、水平搬送部は、開口を通じて上方から落下してきた廃棄物を傾斜搬送部に向かって搬送し続ける。このため、水平搬送部と傾斜搬送部との境界近傍に廃棄物が堆積することによって廃棄物の塊が形成され、その廃棄物の塊がコンベアの駆動に伴って前記閉塞壁の下面に押し付けられることによって当該閉塞壁の下方に廃棄物の圧密が生じる場合がある。そうすると、コンベアに過負荷が作用する。
【０００５】
そこで、閉塞壁の位置をコンベアよりもなるべく高い位置に設定することが考えられる。しかしながら、閉塞壁の上方には、メンテナンス用の通路が設けられることもあり、閉塞壁の高さ位置には制限がある。
【０００６】
本発明の目的は、水平搬送部と傾斜搬送部とを有するコンベア及び臭気漏れを抑制するための閉塞壁を備え、かつ、簡単に閉塞壁の下方での廃棄物の圧密の発生を抑制可能な廃棄物搬送装置及びその運転方法を提供することである。
【課題を解決するための手段】
【０００７】
前記課題を解決するための手段として、本発明は、廃棄物を投入するための投入口を有するともに当該投入口を通じて投入された廃棄物を処理する廃棄物処理設備に対し、前記廃棄物を搬送する廃棄物搬送装置であって、前記廃棄物処理設備の投入口よりも高い位置まで前記廃棄物を搬送するコンベアと、前記コンベアを収容するケースと、前記コンベア上に堆積する廃棄物に対して外力を付与する外力付与部と、を備え、前記コンベアは、前記廃棄物を水平方向に搬送する水平搬送部及びこの水平搬送部の下流側の端部から前記廃棄物を斜め上方に搬送する傾斜搬送部を有する形状のコンベア本体を有し、前記ケースは、前記水平搬送部を収容する水平収容部と、前記水平収容部の下流側の端部につながっており前記傾斜搬送部を収容する傾斜収容部と、を有し、前記水平収容部は、前記廃棄物を前記コンベア本体上へ落下させるための開口を有するとともに、前記開口と前記傾斜収容部のうち前記コンベア本体の上方に位置する部位の下端部との間を塞ぐ閉塞壁を有し、前記外力付与部は、前記廃棄物が前記閉塞壁の下方に堆積することにより形成された前記廃棄物の塊である廃棄物塊に対して当該廃棄物塊を崩す外力を付与する、廃棄物搬送装置を提供する。
【０００８】
本発明では、閉塞壁の下方に形成される廃棄物塊に対して外力付与部が外力を与えることにより当該廃棄物塊が崩れるので、閉塞壁の下方での廃棄物の圧密の発生が抑制される。具体的に、傾斜搬送部が搬送している廃棄物の一部が水平搬送部に向かって落下する一方で開口を通じて上方から落下してきた廃棄物を水平搬送部が傾斜搬送部に向かって搬送し続けることにより、閉塞壁の下方（水平搬送部と傾斜搬送部との境界近傍）に廃棄物塊が形成される場合があるものの、外力付与部がその廃棄物塊に対して外力を付与することによって当該廃棄物塊が崩れる。よって、閉塞壁によって臭気漏れが防止され、しかも、当該閉塞壁の下方での廃棄物の圧密の発生、すなわちコンベアへの過負荷の作用が抑制される。
【０００９】
この場合において、前記外力付与部は、圧縮ガスが膨張する際の膨張力が前記外力として前記廃棄物塊に作用するように前記廃棄物塊に対して前記圧縮ガスを噴射するガス噴射部を有することが好ましい。
【００１０】
このようにすれば、圧縮ガスが膨張する際の膨張力（衝撃力）が前記外力として廃棄物塊に作用するので、廃棄物塊がより効果的に崩れる。
【００１１】
具体的に、前記ガス噴射部は、前記膨張力が前記廃棄物塊に対して前記コンベア本体の搬送方向と反対方向に作用する力の成分を含む姿勢で前記ケースに接続されていることが好ましい。
【００１２】
このようにすれば、コンベア本体の駆動に伴って閉塞壁の下方に形成される廃棄物塊をより効果的に崩すことができる。具体的に、廃棄物塊のうち前記膨張力が作用する部位のそれ以外の部位に対する相対速度が大きくなるので、両部位の境界にせん断力が作用する。これにより、前記膨張力が作用する部位は、それ以外の部位に対して搬送方向と反対方向に向かって変位するので、廃棄物塊が効果的に崩れる。
【００１３】
また、本発明において、前記ガス噴射部は、その先端が前記閉塞壁の下面よりも下方に位置する姿勢で前記ケースに接続されていることが好ましい。
【００１４】
このようにすれば、閉塞壁の下方において当該閉塞壁の下面に接する形状の廃棄物塊が形成された際にガス噴射部の先端が廃棄物塊の上面もしくは廃棄物塊中に位置するので、圧縮ガスの膨張力が効果的に廃棄物塊に作用する。よって、廃棄物塊をより確実に崩すことができる。
【００１５】
また、本発明において、前記閉塞壁と前記コンベア本体との間における前記廃棄物の詰まりを検知可能な検知部と、前記検知部が前記詰まりを検知したときに前記外力付与部を駆動する駆動部と、をさらに備えることが好ましい。
【００１６】
このようにすれば、閉塞壁とコンベア本体との間における廃棄物の詰まり、すなわち閉塞壁の下方での廃棄物の圧密の発生を検知部が検知したときに駆動部によって外力付与部が駆動され、これにより閉塞壁の下方における廃棄物塊が崩れる。よって、自動的かつ安定的に廃棄物の圧密の発生が抑制される。
【００１７】
具体的に、前記検知部は、前記コンベア本体の駆動負荷に基づいて詰まりを検知することが好ましい。
【００１８】
このようにすれば、廃棄物の詰まりが生じる部位（閉塞壁の下方）に特別なセンサを設けずに廃棄物の詰まりの検知が可能となる。すなわち、本発明の対象となる詰まりは、当該詰まりがコンベア本体の駆動負荷の上昇を引き起こすことを利用することにより検知される。
【００１９】
例えば、前記コンベアが前記コンベア本体を駆動するモータをさらに有する場合、前記検知部は、前記モータの電流値を検出するセンサと、前記センサの検出値が基準値を超えたときに前記詰まりが生じたと判定する判定部と、を有し、前記駆動部は、前記判定部が前記詰まりが生じたと判定したときに前記外力付与部を駆動することが好ましい。
【００２０】
このようにすれば、簡単な構成で詰まりが検知され、さらに、モータのトリップの発生が抑制される。具体的に、前記詰まりの発生（閉塞壁の下方における廃棄物の圧密の発生）に起因してコンベア本体に作用する負荷が大きくなると、モータの負荷トルクが大きくなり、これによりモータの駆動に必要な電流値が大きくなる。このため、センサの検出値（電流値）が所定の基準値を超えるという条件を満たしたときに、閉塞壁の下方に廃棄物の圧密が生じたと判定することができる。よって、センサの検出値が基準値を超えたときに外力付与部を駆動することにより、有効に廃棄物塊を崩すことができる。これにより、モータの負荷トルク、すなわち当該モータの駆動に必要な電流値が小さくなる。したがって、モータのトリップの発生、すなわちコンベア本体の停止が抑制される。
【００２１】
また、本発明は、前記コンベア本体として、前記廃棄物を搬送する搬送体と、前記搬送体上に立設された複数の支柱と、を有し、各支柱の前記搬送体の搬送方向と直交する幅方向の寸法は、前記搬送体の前記幅方向の寸法よりも小さく設定されており、前記複数の支柱は、前記搬送方向に沿って間欠的に並びかつ前記幅方向に沿って間欠的に並ぶように配置されているものについて、特に有効である。
【００２２】
具体的に、傾斜搬送部が搬送する領域では、搬送体上の廃棄物のうち各支柱に囲まれる空間に収まるものについては、支柱による下方からの支持を受けるので上方に搬送されるものの、搬送体上の廃棄物のうち前記空間から露出するもの（各支柱の上端から露出するもの）については、支柱による支持がないので下方の水平搬送部に向かって落下する。つまり、傾斜搬送部は、前記空間の体積に略相当する量の廃棄物を定量的に上方に搬送する。一方、傾斜搬送部から水平搬送部に落下した廃棄物は、閉塞壁の下方での廃棄物塊の形成の原因となるものの、当該廃棄物塊は外力付与部によって崩される。よって、傾斜搬送部によって前記空間の体積に略相当する量の廃棄物が定量的に搬送され、かつ、閉塞壁の下方での廃棄物の圧密の発生が抑制される。
【００２３】
また、本発明は、廃棄物を処理する廃棄物処理設備に前記廃棄物を搬送する廃棄物搬送装置の運転方法であって、前記廃棄物搬送装置として、前記廃棄物を搬送するコンベアと、前記コンベアを収容するケースと、を備え、前記コンベアは、前記廃棄物を水平方向に搬送する水平搬送部及びこの水平搬送部の下流側の端部から前記廃棄物を斜め上方に搬送する傾斜搬送部を有する形状を有し、前記ケースは、前記水平搬送部を収容する水平収容部と、前記水平収容部の下流側の端部につながっており前記傾斜搬送部を収容する傾斜収容部と、を有し、前記水平収容部は、前記廃棄物を前記コンベア上へ落下させるための開口を有するとともに、前記開口と前記傾斜収容部のうち前記コンベアの上方に位置する部位の下端部との間を塞ぐ閉塞壁を有するものを準備する準備工程と、前記コンベアにより前記廃棄物を搬送する搬送工程と、を備え、前記搬送工程では、前記廃棄物が前記閉塞壁の下方に堆積することにより前記廃棄物の塊である廃棄物塊が形成されたときにその廃棄物塊に対して圧縮ガスを噴射することによって当該廃棄物塊を崩す、廃棄物搬送装置の運転方法を提供する。
【００２４】
本運転方法では、閉塞壁の下方に廃棄物塊が形成されたときにその廃棄物塊に対して圧縮ガスを噴射することによって当該廃棄物塊を崩すので、閉塞壁の下方での廃棄物の圧密の発生が抑制される。よって、コンベアに過負荷が作用することが抑制される。
【発明の効果】
【００２５】
以上のように、本発明によれば、水平搬送部と傾斜搬送部とを有するコンベア及び臭気漏れを抑制するための閉塞壁を備え、かつ、簡単に閉塞壁の下方での廃棄物の圧密の発生を抑制可能な廃棄物搬送装置及びその運転方法を提供することが可能となる。
【図面の簡単な説明】
【００２６】
【図１】本発明の一実施形態の廃棄物処理システムの概略を示す図である。
【図２】図１に示すホッパー及び廃棄物搬送装置の一部の平面図である。
【図３】図２のＩＩＩ−ＩＩＩ線での断面図である。
【図４】図１に示す廃棄物搬送装置のコンベア本体の平面図である。
【図５】図４に示すコンベア本体の断面正面図である。
【図６】センサの検出値の推移を示すグラフである。
【発明を実施するための形態】
【００２７】
本発明の一実施形態の廃棄物処理システムについて、図１を参照しながら説明する。
【００２８】
図１に示されるように、廃棄物処理システムは、ホッパー１００と、廃棄物搬送装置２００と、シール部３００と、供給部４００と、流動床炉５００と、を備えている。
【００２９】
ホッパー１００は、上方から投入された廃棄物Ｗを貯留するとともに、当該廃棄物Ｗを下方に落下させる。
【００３０】
廃棄物搬送装置２００は、ホッパー１００から落下してきた廃棄物Ｗを所定の高さ位置まで搬送する装置である。この廃棄物搬送装置２００の詳細については、後述する。
【００３１】
シール部３００は、廃棄物搬送装置２００の下流側に設けられている。シール部３００は、空気の流動床炉５００への流入を抑制する部位である。具体的に、シール部３００は、廃棄物搬送装置２００の下流側の端部から鉛直下向きに向かって長く延びる配管により構成される。このシール部３００内に廃棄物Ｗが積み上げられる、あるいは仕切板を有するシール装置によって前記配管内が遮断されることにより流動床炉５００の気密性が高まるので、空気の流動床炉５００への流入が抑制される。
【００３２】
供給部４００は、シール部３００の下部に接続されている。供給部４００は、廃棄物Ｗを下流側に搬送可能なスクリューコンベア４１０を有している。供給部４００は、シール部３００から落下してきた廃棄物Ｗをスクリューコンベア４１０によって流動床炉５００に供給する。
【００３３】
流動床炉５００は、炉本体５１０内において流動媒体が流動することによって形成される流動床５２０で廃棄物Ｗを加熱することにより当該廃棄物Ｗからガスを取り出す炉である。流動床炉５００は、廃棄物処理設備の一部を構成する。なお、ここで発生したガスは、下流側の設備で適宜処理される。
【００３４】
次に、図２〜図６を参照しながら、廃棄物搬送装置２００について詳細に説明する。
【００３５】
廃棄物搬送装置２００は、廃棄物Ｗを搬送するコンベア２０と、コンベア２０を収容するケース３０と、コンベア２０上に堆積する廃棄物Ｗに外力を付与する外力付与部４０と、外力付与部の駆動を制御する制御部５０と、を備えている。
【００３６】
コンベア２０は、コンベア本体２２と、コンベア本体２２を駆動するモータ２８と、を有する。
【００３７】
コンベア本体２２は、搬送体２３と、複数の支柱２４と、原動ローラ２５と、従動ローラ２６と、を有する。
【００３８】
図４及び図５に示されるように、搬送体２３は、搬送方向に沿って並ぶ複数のエプロン２３ａと、各エプロン２３ａに接続されたチェーン２３ｂと、を有する。各エプロン２３ａは、搬送方向の寸法よりも搬送方向と直交する幅方向の寸法の方が長い矩形状に形成されている。チェーン２３ｂは、原動ローラ２５及び従動ローラ２６間に掛け回されている。
【００３９】
複数の支柱２４は、エプロン２３ａ上に立設されている。図４及び図５に示されるように、各支柱２４の幅方向の寸法は、各エプロン２３ａの幅方向の寸法よりも小さく設定されている。複数の支柱２４は、搬送方向に沿って間欠的に並びかつ幅方向に沿って間欠的に並ぶように配置されている。本実施形態では、搬送方向に沿って配置される複数の支柱２４が立設されるエプロン２３ａは、一枚おきに選定されている。
【００４０】
原動ローラ２５（図１を参照）は、搬送方向の下流側の端部に設けられている。原動ローラ２５は、従動ローラ２６よりも高く、かつ流動床炉５００の投入口５１２よりも高い位置に配置されている。従動ローラ２６は、搬送方向の上流側の端部に設けられている。従動ローラ２６は、ホッパー１００の下方に配置されている。
【００４１】
本実施形態では、コンベア本体２２は、ホッパー１００から落下した廃棄物Ｗを水平方向に搬送した後、斜め上方に向かって搬送する形状に形成されている。すなわち、コンベア本体２２は、廃棄物Ｗを水平方向に搬送する水平搬送部２２ａ及びこの水平搬送部２２ａの下流側の端部から廃棄物Ｗを斜め上方に搬送する傾斜搬送部２２ｂを有する形状に形成される。
【００４２】
モータ２８は、原動ローラ２５に接続されており、当該原動ローラ２５を駆動する。このモータ２８は、図１において原動ローラ２５が右回りに回転する駆動力を当該原動ローラ２５に与える。これにより、チェーン２３ｂ及び複数のエプロン２３ａが搬送方向に駆動される。
【００４３】
ケース３０は、コンベア本体２２の水平搬送部２２ａを収容する水平収容部３１と、水平収容部３１の下流側の端部につながっており傾斜搬送部２２ｂを収容する傾斜収容部３６と、を有する。
【００４４】
水平収容部３１は、ホッパー１００から水平搬送部２２ａ上に廃棄物Ｗを落下させるための開口３１ａを有するとともに、当該開口３１ａを除いて水平搬送部２２ａの周囲を覆う形状を有する。具体的に、水平収容部３１は、水平搬送部２２ａの下方に配置された底壁３２と、水平搬送部２２ａの搬送方向の右側に配置された右側壁３３と、水平搬送部２２ａの搬送方向の左側に配置された左側壁３４と、開口３１ａと傾斜収容部３６のうち傾斜搬送部２２ｂの上方に位置する上壁３７の下端部３７ａとの間を塞ぐ閉塞壁３５と、を有する。本実施形態では、閉塞壁３５は、ホッパー１００のうち搬送方向の下流側に配置されており鉛直方向と平行な後壁１０４の下端部１０５と前記上壁３７の下端部３７ａとを接続している。閉塞壁３５は、平板状に形成されており、水平と平行となるように姿勢で配置されている。図示されていないが、閉塞壁３５の上方には、メンテナンス用の通路が設けられる。
【００４５】
以上に説明した廃棄物搬送装置２００によって廃棄物Ｗを搬送し続けると、図３に示されるように、閉塞壁３５の下方に廃棄物Ｗの塊（以下、「廃棄物塊Ｗｂ」という。）が形成され、さらにこの廃棄物塊Ｗｂがコンベア本体２２の駆動に伴って閉塞壁３５の下面に押し付けられることによって閉塞壁３５の下方に廃棄物Ｗの圧密（詰まり）が生じる場合がある。具体的に、本廃棄物搬送装置２００では、ホッパー１００から開口３１ａを通じて落下してきた廃棄物Ｗを水平搬送部２２ａが傾斜搬送部２２ｂに向かって搬送し、その後、当該廃棄物Ｗを傾斜搬送部２２ｂが斜め上方に向かって搬送する。ここで、傾斜搬送部２２ｂが廃棄物Ｗを搬送する領域では、各エプロン２３ａ上の廃棄物Ｗのうち各支柱２４に囲まれる空間に収まるものについては、支柱２４による下方からの支持を受けるので上方に搬送されるものの、各エプロン２３ａ上の廃棄物Ｗのうち前記空間から露出するもの（各支柱２４の上端から露出するもの）については、支柱２４による支持がないので下方の水平搬送部２２ａに向かって落下する。一方、水平搬送部２２ａは、開口３１ａを通じて上方から落下してくる廃棄物Ｗを傾斜搬送部２２ｂに向かって搬送し続ける。このため、閉塞壁３５の下方（水平搬送部２２ａと傾斜搬送部２２ｂとの境界近傍）に廃棄物Ｗが堆積することによって廃棄物塊Ｗｂが形成され、その廃棄物塊Ｗｂがコンベア本体２２の駆動に伴って閉塞壁３５の下面に押し付けられることによって当該閉塞壁３５の下方に廃棄物の圧密が生じる場合がある。そうすると、コンベア２０に過負荷が作用する。
【００４６】
前記外力付与部４０は、閉塞壁３５の下方に形成された廃棄物塊Ｗｂに対して当該廃棄物塊Ｗｂを崩す外力を付与する。本実施形態では、外力付与部４０は、前記外力として圧縮ガスの膨張力（衝撃力）を廃棄物塊Ｗｂに付与する。これにより、廃棄物塊Ｗｂが崩れる。よって、閉塞壁３５の下方での廃棄物Ｗの圧密の発生が抑制され、コンベア２０への過負荷の作用が抑制される。具体的に、外力付与部４０は、圧縮ガスを貯留するガスタンク（図示略）と、タンク内の圧縮ガスを噴射するガス噴射部４２と、を有する。
【００４７】
ガス噴射部４２は、前記膨張力が廃棄物塊Ｗｂに対してコンベア本体２２の搬送方向と反対方向に作用する力の成分を含む姿勢で水平収容部３１に接続されている。換言すれば、ガス噴射部４２は、圧縮ガスの噴射方向がコンベア本体２２の搬送方向と反対方向のベクトルの成分を含む姿勢で水平収容部３１に接続されている。ここで、「噴射方向」とは、圧縮ガスの噴射形態からみてその噴射の主たる方向と認められる方向を意味する。例えば、ガス噴射部４２から、圧縮ガスがその噴射起点から特定の噴射領域に広がるような噴射角をもって円錐状、あるいは扇形状に噴射される場合、その噴射領域の中央を通る直線の方向が噴射方向に相当する。本実施形態では、ガス噴射部４２は、第一ガス噴射部４２ａと、第二ガス噴射部４２ｂと、第三ガス噴射部４２ｃと、第四ガス噴射部４２ｄと、第五ガス噴射部４２ｅと、を有している。
【００４８】
第一ガス噴射部４２ａは、閉塞壁３５に接続されている。図３に示されるように、第一ガス噴射部４２ａは、圧縮ガスの噴射方向が傾斜搬送部２２ｂの搬送方向と正反対の方向となる姿勢で閉塞壁３５に接続されている。第一ガス噴射部４２ａは、その先端が閉塞壁３５の下面よりも下方に位置する姿勢で閉塞壁３５に接続されている。なお、第一ガス噴射部４２ａは、その先端が閉塞壁３５の下面と面一となる姿勢で閉塞壁３５に接続されてもよい。
【００４９】
第二ガス噴射部４２ｂは、右側壁３３のうちコンベア本体２２よりも上方でかつ閉塞壁３５よりも下方の部位に接続されている。第二ガス噴射部４２ｂは、圧縮ガスの噴射方向が水平と平行となり、かつ当該噴射方向と水平搬送部２２ａの搬送方向とのなす角が略１３５度となる姿勢で右側壁３３に接続されている。
【００５０】
第三ガス噴射部４２ｃは、右側壁３３のうちコンベア本体２２よりも上方でかつ第二ガス噴射部４２ｂよりも下方の部位に接続されている。この第三ガス噴射部４２ｃの右側壁３３に対する接続姿勢は、第二ガス噴射部４２ｂのそれと同じである。
【００５１】
第四ガス噴射部４２ｄは、左側壁３４のうちコンベア本体２２よりも上方でかつ閉塞壁３５よりも下方の部位に接続されている。第四ガス噴射部４２ｄは、圧縮ガスの噴射方向が水平と平行となり、かつ当該噴射方向と水平搬送部２２ａの搬送方向とのなす角が略１３５度となる姿勢で左側壁３４に接続されている。
【００５２】
第五ガス噴射部４２ｅは、左側壁３４のうちコンベア本体２２よりも上方でかつ第四ガス噴射部４２ｄの下方の部位に接続されている。この第五ガス噴射部４２ｅの左側壁３４に対する接続姿勢は、第四ガス噴射部４２ｄのそれと同じである。
【００５３】
つまり、第二ガス噴射部４２ｂ〜第五ガス噴射部４２ｅから噴射された圧縮ガスの膨張力の廃棄物塊Ｗｂへの作用部位及び方向はいずれも、第一ガス噴射部４２ａから噴射された圧縮ガスの膨張力のそれとは異なる。よって、第二ガス噴射部４２ｂ〜第五ガス噴射部４２ｅから噴射された圧縮ガスの膨張力は、廃棄物塊Ｗｂのうち第一ガス噴射部４２ａから噴射された圧縮ガスの膨張力で崩れなかったものを特に有効に崩す。なお、第二ガス噴射部４２ｂ及び第三ガス噴射部４２ｃは、その先端が右側壁３３の内面と面一となる姿勢で当該右側壁３３に接続されており、第四ガス噴射部４２ｄ及び第五ガス噴射部４２ｅは、その先端が左側壁３４の内面と面一となる姿勢で当該左側壁３４に接続されている。このため、これら第二ガス噴射部４２ｂ〜第五ガス噴射部４２ｅの各先端が廃棄物Ｗの搬送を妨げるのが抑制され、さらに、第二ガス噴射部４２ｂ〜第五ガス噴射部４２ｅの各先端に廃棄物Ｗが接触することに起因する当該ガス噴射部の損傷が抑制される。
【００５４】
制御部５０は、閉塞壁３５の下方において廃棄物Ｗの詰まりが生じたときに外力付与部４０を駆動する。具体的に、制御部５０は、閉塞壁３５の下方における廃棄物Ｗの詰まり（圧密の発生）を検知可能な検知部５２と、外力付与部４０を駆動する駆動部５６と、を有する。
【００５５】
検知部５２は、コンベア本体２２の駆動負荷に基づいて前記詰まりを検知する。換言すれば、前記詰まりは、当該詰まりがコンベア本体２２の駆動負荷を上昇させるのを利用することにより検知される。本実施形態では、検知部５２は、モータ２８の電流値を検出するセンサ５３と、センサ５３の検出値Ａ１（電流値）が所定の基準値Ａ０を超えたときに前記詰まりが生じたと判定する判定部５４と、を有する。具体的に、閉塞壁３５の下方での前記詰まりの発生に起因してコンベア本体２２に作用する負荷が大きくなると、モータ２８の負荷トルクが大きくなり、これによりモータ２８の駆動に必要な電流値が大きくなる（図６を参照）。判定部５４は、センサ５３の検出値Ａ１（電流値）が所定の基準値Ａ０を超えるという条件を満たしたときに閉塞壁３５の下方に廃棄物Ｗの詰まり（圧密）が生じたと判定する。
【００５６】
駆動部５６は、判定部５４が前記詰まりが生じたと判定したときに外力付与部４０を駆動する。
【００５７】
以上説明したように、本実施形態の廃棄物搬送装置２００では、閉塞壁３５の下方に廃棄物Ｗの詰まりが生じたときにガス噴射部４２が閉塞壁３５の下方の廃棄物塊Ｗｂに向かって圧縮ガスを噴射する。そうすると、廃棄物塊Ｗｂに対して圧縮ガスの膨張力（衝撃力）が作用するので、当該廃棄物塊Ｗｂが崩れる。よって、閉塞壁３５の下方での廃棄物Ｗの詰まり（圧密の発生）が抑制され、コンベア２０への過負荷の作用が抑制される。
【００５８】
具体的に、前記詰まりの検知は、コンベア本体２２の駆動負荷に基づいて行われる。よって、廃棄物Ｗの詰まりが生じる部位（閉塞壁３５の下方）に特別なセンサ（圧力センサやレベルセンサ等）を設けずに廃棄物Ｗの詰まりの検知が可能となる。
【００５９】
上記実施形態では、モータ２８の電流値を検出可能なセンサ５３の検出値Ａ１が前記基準値Ａ０を超えたか否かによって前記詰まりが生じたかどうかが判定される。よって、簡単な構成で前記詰まりが検知され、さらに、モータ２８のトリップの発生、すなわちコンベア本体２２の停止が抑制される。
【００６０】
また、上記実施形態では、ガス噴射部４２は、前記膨張力が廃棄物塊Ｗｂに対してコンベア本体２２の搬送方向と反対方向に作用する力の成分を含む姿勢で水平収容部３１に接続されている。このため、閉塞壁３５の下方に形成される廃棄物塊Ｗｂが効果的に崩れる。具体的に、廃棄物塊Ｗｂのうち前記膨張力が作用する部位のそれ以外の部位に対する相対速度が大きくなるので、両部位の境界にせん断力が作用する。これにより、前記膨張力が作用する部位は、それ以外の部位に対して搬送方向と反対方向に向かって変位するので、廃棄物塊Ｗｂが効果的に崩れる。
【００６１】
また、上記実施形態では、第一ガス噴射部４２ａは、その先端が閉塞壁３５の下面よりも下方に位置する姿勢で閉塞壁３５に接続されている。よって、閉塞壁３５の下方において当該閉塞壁３５の下面に接する形状の廃棄物塊Ｗｂが形成された際に第一ガス噴射部４２ａの先端が廃棄物塊Ｗｂの上面もしくは廃棄物塊Ｗｂ中に位置するので、圧縮ガスの膨張力が効果的に廃棄物塊Ｗｂに作用する。したがって、第一ガス噴射部４２ａの先端が閉塞壁３５の下面と面一となる姿勢で第一ガス噴射部４２ａが閉塞壁３５に接続される場合に比べて廃棄物塊Ｗｂがより確実に崩れる。
【００６２】
また、上記実施形態では、コンベア本体２２として、複数の支柱２４を有するものが用いられている。このコンベア本体２２は、傾斜搬送部２２ｂによって各支柱２４に囲まれる空間の体積に略相当する量の廃棄物Ｗを定量的に搬送することが可能である一方、閉塞壁３５の下方における廃棄物塊Ｗｂの形成を促進する側面を持つ。本実施形態では、閉塞壁３５の下方に形成された廃棄物塊Ｗｂは制御部５０によって自動的に崩されるので、このコンベア本体２２の特性に起因するデメリット（廃棄物塊Ｗｂの形成促進機能）を抑制しつつメリット（廃棄物Ｗの定量搬送機能）を享受することできる。
【００６３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６４】
例えば、上記実施形態では、外力付与部４０は、外力として圧縮ガスの膨張力を廃棄物塊Ｗｂに付与可能なガス噴射部４２を有する例が示されたが、外力付与部４０は、前記外力として押圧力を廃棄物塊Ｗｂに付与可能なプッシャを有していてもよい。
【００６５】
また、外力付与部４０による前記外力の付与方向は、前記外力が廃棄物塊Ｗｂに対してコンベア本体２２の搬送方向と反対方向に作用する力の成分を含む範囲で適宜変更されてもよい。例えば、各ガス噴射部４２ａ〜４２ｅの水平収容部３１に対する接続姿勢は、前記膨張力が廃棄物塊Ｗｂに対してコンベア本体２２の搬送方向と反対方向に作用する力の成分を含む姿勢であれば、上記に限られない。
【００６６】
また、上記実施形態では、第一ガス噴射部４２ａが閉塞壁３５に接続された例が示されたが、廃棄物塊Ｗｂのうち閉塞壁３５の下面近傍の部位に対して傾斜搬送部２２ｂの搬送方向と反対方向に作用する力の成分を含む膨張力を付与可能であれば、第一ガス噴射部４２ａは、例えば傾斜収容部３６の上壁３７に接続されてもよい。
【００６７】
また、上記実施形態では、センサ５３がモータ２８の電流値を検出する例が示されたが、センサ５３は、閉塞壁３５の下方での廃棄物Ｗの詰まりを検知可能であれば、上記に限られない。例えば、センサ５３は、閉塞壁３５の下面近傍に設けられた光電センサやレベルセンサであってもよい。
【００６８】
また、上記実施形態では、センサ５３は、コンベア本体２２の駆動負荷を検出するためにモータ２８の電流値を検出する例が示されたが、前記駆動負荷を検出可能な検出対象はモータ２８の電流値に限られない。例えば、センサ５３は、前記駆動負荷としてコンベア本体２２に作用する荷重を検出してもよい。あるいは、センサ５３は、閉塞壁３５の下面の圧力を検出してもよい。この場合、センサ５３として、閉塞壁３５の下面に設置可能な圧力センサが用いられることが好ましい。また、センサ５３は、原動ローラ２５又は従動ローラ２６の回転数を検出してもよい。この場合、判定部５４は、センサ５３の検出値（回転数）が所定の基準回転数を下回ったときに前記詰まりが発生したと判定する。
【００６９】
また、上記実施形態では、コンベア本体２２が、複数のエプロン２３ａ及びチェーン２３ｂを有するいわゆるチェーンコンベアである例が示されたが、コンベア本体２２は、いわゆるベルトコンベアであってもよい。
【００７０】
また、上記実施形態では、コンベア本体２２が複数の支柱２４を有する例が示されたが、コンベア本体２２は、搬送方向に沿って並ぶとともにそれぞれが前記幅方向の全域にわたってつながる形状の複数の起立板を有していてもよい。
【符号の説明】
【００７１】
２０    コンベア
２２    コンベア本体
２２ａ  水平搬送部
２２ｂ  傾斜搬送部
２３    搬送体
２４    複数の支柱
２５    原動ローラ
２６    従動ローラ
２８    モータ
３０    ケース
３１    水平収容部
３１ａ  開口
３５    閉塞壁
３６    傾斜収容部
４０    外力付与部
４２    ガス噴射部
５０    制御部
５２    検知部
５３    センサ（電流計）
５４    判定部
５６    駆動部
１００  ホッパー
２００  廃棄物搬送装置
３００  シール部
４００  供給部
５００  流動床炉
Ｗ      廃棄物
Ｗｂ    廃棄物塊
【図１】
0005879399.tif 000002
【図２】
0005879399.tif 000003
【図３】
0005879399.tif 000004
【図４】
0005879399.tif 000005
【図５】
0005879399.tif 000006
【図６】
0005879399.tif 000007